(57)【特許請求の範囲】
【請求項１】
前後一対の天板を有し、中央部の机上パネルで前後に仕切られ、各天板の前に着座して対面状態でデスクワークを行うことが可能なパネル付きデスクにおいて、前後一方の前記天板上の左右両側に奥行き方向に長尺の取付部材を取付けるべく、該取付部材の端部を面内移動不能に保持する部材の本体部を、前後の天板間に設けたダクト開口内に着脱可能に取付け、該取付部材に設けた支持部で前記机上パネルの両側端部を支持し、該机上パネルをデスクの奥行き方向に変位させて取付けることを特徴とする机上パネルの取付装置。
【請求項２】
前記机上パネルを前後天板の中央部に取付けるために、前記ダクト開口内に取付けていた支持部材を取り去った位置に、前記取付部材の端部を面内移動不能に保持する部材の本体部を取付けてなる請求項１記載の机上パネルの取付装置。
【請求項３】
中央部に配線用ダクト開口を設けて前後に天板を配するとともに、前記ダクト開口にダクトカバーを着脱可能に装着し、ダクト開口内の左右両側に取付けた支持部材によって机上パネルの両側端部を支持することが可能なパネル付きデスクにおいて、前記天板の奥行き寸法に対応する長さを有する長尺の前記取付部材の前後端部を前記天板の前後縁部に保持して取付可能とし、この一対の取付部材を前後一方の前記天板の左右両側に取付け、該取付部材の前後中間位置に設けた支持部で机上パネルの両側端部を支持してなる請求項１記載の机上パネルの取付装置。
【請求項４】
前記天板の奥行き寸法に対応する長さを有する長尺の支持板の一端に天板の前縁に係止する係止片を形成し、他端に係合部を形成するとともに、支持板の中間位置に机上パネルの端部を支持する支持部を設けてなる取付部材と、前記支持部材を外したダクト開口内に本体部を着脱可能に取付けるとともに、本体部から延びた当止部を前記取付部材の係合部に上方から係合して面内移動不能に保持する押え部材とを備え、前後一方の前記天板の左右両側に取付けた前記取付部材の支持部で机上パネルの両側端部を支持する請求項３記載の机上パネルの取付装置。
【請求項５】
前記取付部材の支持板に形成した係止片は、前記天板の前縁を抱き込んで上下変位不能に係合する断面略Ｌ字形であり、また支持板に形成した係合部は横長のスリット孔であり、前記押え部材の当止部には前記スリット孔に嵌入する突片を有する請求項４記載の机上パネルの取付装置。
【請求項６】
前記取付部材の支持部は垂直に立起した支持ポールであり、端部に設ける取付部材には支持ポールを１本設け、中間に位置して隣接する机上パネルを同時に支持する取付部材には支持ポールを２本並設してなる請求項３〜５何れかに記載の机上パネルの取付装置。
【請求項７】
前記取付部材の支持板に形成した係止片に、天板の前縁部を下方から押圧して挟持するクランプ機能を備えてなる請求項４〜６何れかに記載の机上パネルの取付装置。
【発明の詳細な説明】
【技術分野】
【０００１】
本発明は、机上パネルの取付装置に係わり、更に詳しくは中央部に配線用ダクトを設けて前後に天板を配したデスクに設ける机上パネルの取付装置に関するものである。
【背景技術】
【０００２】
従来から、複数の天板を中間脚を介して側方へ連設するとともに、中央部に配線用ダクトを設けて前後に天板を配置した構造の組立式デスクは各種提供されている。例えば、特許文献１には、少なくとも両端部に配する端部脚、中間に配する中間脚、脚間を連結する脚間モジュール及び天板を有し、前記天板の両側下面を前記端部脚及び中間脚に載置して取付手段にて取付け、中間部における天板同士の端面を直接接合して構成する組立式デスクが開示されている。
【０００３】
また、ダクトを利用して前後の天板間で中央部に机上パネルを設けること、またサイドパネルを設けることも公知である。例えば、特許文献２には、机の天板の後縁に沿って立設するフロントパネルの両側端縁を、該天板の後部に垂設した支柱で支持するとともに、前記フロントパネルの端部側あるいは左右に連続して配置した両フロントパネル間の中間部にサイドパネルを立設してなる机上パネル装置であって、前記支柱は、上下全長にわたって、左右一端側に前記フロントパネルの側端縁を嵌合する第１係合溝を形成するとともに、左右他端側の中央部に突出部を形成し、更に前後両端側に前記サイドパネルを後端縁を嵌合し得る第２係合溝を形成したものであり、左右のサイドパネルをそれぞれ支持する両支柱の突出部を向き合わせた状態で形成される両支柱間の縦溝に前記サイドパネルの後端縁を嵌合して立起状態に保持してなることを特徴とする机上パネル装置が開示されている。
【０００４】
しかし、特許文献２に記載の構造や、従来の机上パネルの取付構造は、天板の後部若しくはダクト開口内に机上パネルを支持するための支柱を立設したり、机上パネルの下端に突設した支持杆をダクト開口内に設けた係合孔に嵌合して支持するといったものであり、机上パネルの支持位置が固定されたものである。そして、中間部にダクト開口を設けて前後に天板を配置した構造のデスクでは、前後中央に机上パネルが位置するように取付けるのが一般的である。
【特許文献１】特開２００７−１５１８２４号公報
【特許文献２】特開２００６−０２０９８１号公報
【発明の開示】
【発明が解決しようとする課題】
【０００５】
そこで、本発明が前述の状況に鑑み、解決しようとするところは、中央部に配線用ダクトを設けて前後に天板を配するとともに、中央部に机上パネルの両側端部を支持して立起状態で支持することが可能なパネル付きデスクにおいて、机上パネルを中央部から天板の奥行き方向へ変位した位置に取付けて、一方の天板の実効的奥行き寸法を広くすることが可能な机上パネルの取付装置を提供する点にある。
【課題を解決するための手段】
【０００６】
本発明は、前述の課題解決のために、前後一対の天板を有し、中央部の机上パネルで前後に仕切られ、各天板の前に着座して対面状態でデスクワークを行うことが可能なパネル付きデスクにおいて、前後一方の前記天板上の左右両側に奥行き方向に長尺の取付部材を取付けるべく、該取付部材の端部を面内移動不能に保持する部材の本体部を、前後の天板間に設けたダクト開口内に着脱可能に取付け、該取付部材に設けた支持部で前記机上パネルの両側端部を支持し、該机上パネルをデスクの奥行き方向に変位させて取付けることを特徴とする机上パネルの取付装置を構成した（請求項１）。
【０００７】
また、前記机上パネルを前後天板の中央部に取付けるために、前記ダクト開口内に取付けていた支持部材を取り去った位置に、前記取付部材の端部を面内移動不能に保持する部材の本体部を取付けてなることも好ましい（請求項２）。
【０００８】
具体的には、中央部に配線用ダクト開口を設けて前後に天板を配するとともに、前記ダクト開口にダクトカバーを着脱可能に装着し、ダクト開口内の左右両側に取付けた支持部材によって机上パネルの両側端部を支持することが可能なパネル付きデスクにおいて、前記天板の奥行き寸法に対応する長さを有する長尺の取付部材の前後端部を前記天板の前後縁部に保持して取付可能とし、この一対の取付部材を前後一方の前記天板の左右両側に取付け、該取付部材の前後中間位置に設けた支持部で机上パネルの両側端部を支持してなることが好ましい（請求項３）。
【０００９】
ここで、前記天板の奥行き寸法に対応する長さを有する長尺の支持板の一端に天板の前縁に係止する係止片を形成し、他端に係合部を形成するとともに、支持板の中間位置に机上パネルの端部を支持する支持部を設けてなる取付部材と、前記支持部材を外したダクト開口内に本体部を着脱可能に取付けるとともに、本体部から延びた当止部を前記取付部材の係合部に上方から係合して面内移動不能に保持する押え部材とを備え、前後一方の前記天板の左右両側に取付けた前記取付部材の支持部で机上パネルの両側端部を支持することが好ましい（請求項４）。
【００１０】
更に具体的には、前記取付部材の支持板に形成した係止片は、前記天板の前縁を抱き込んで上下変位不能に係合する断面略Ｌ字形であり、また支持板に形成した係合部は横長のスリット孔であり、前記押え部材の当止部には前記スリット孔に嵌入する突片を有するのである（請求項５）。
【００１１】
また、前記取付部材の支持部は垂直に立起した支持ポールであり、端部に設ける取付部材には支持ポールを１本設け、中間に位置して隣接する机上パネルを同時に支持する取付部材には支持ポールを２本並設してなることも好ましい（請求項６）。
【００１２】
更に、前記取付部材の支持板に形成した係止片に、天板の前縁部を下方から押圧して挟持するクランプ機能を備えてなるとより好ましい（請求項７）。
【発明の効果】
【００１３】
以上にしてなる請求項１に係る発明の机上パネルの取付装置は、前後一対の天板を有し、中央部の机上パネルで前後に仕切られ、各天板の前に着座して対面状態でデスクワークを行うことが可能なパネル付きデスクにおいて、前後一方の前記天板上の左右両側に奥行き方向に長尺の取付部材を取付けるべく、該取付部材の端部を面内移動不能に保持する部材の本体部を、前後の天板間に設けたダクト開口内に着脱可能に取付け、該取付部材に設けた支持部で前記机上パネルの両側端部を支持し、該机上パネルをデスクの奥行き方向に変位させて取付けるので、一方の天板の実効的奥行き寸法を広くすることができ、もってパソコン等の情報電子機器やその他の奥行きのある物を天板に載置した場合でも、天板を広く使用することができ、更に机上パネルを取付ける取付部材の支持高度が向上するとともに、取付部材の端部を面内移動不能に保持する部材はダクト開口内に取付けることができる。
【００１４】
請求項２によれば、前記机上パネルを前後天板の中央部に取付けるために、前記ダクト開口内に取付けていた支持部材を取り去った位置に、前記取付部材の端部を面内移動不能に保持する部材の本体部を取付けてなるので、ダクト開口内の同じ位置に、机上パネルを中央部に取付けるための支持部材と、机上パネルをデスクの奥行き方向に変位させて取付けるための部材の本体部とを取付けることができる。
【００１５】
請求項３によれば、中央部に配線用ダクト開口を設けて前後に天板を配するとともに、前記ダクト開口にダクトカバーを着脱可能に装着し、ダクト開口内の左右両側に取付けた支持部材によって机上パネルの両側端部を支持することが可能なパネル付きデスクにおいて、前記支持部材を取り去り、前後一方の前記天板の左右両側に一対の取付部材を取付け、該取付部材の前後中間位置に設けた支持部で机上パネルの両側端部を支持することにより、机上パネルを中央部のダクト開口の上方から一方の天板の上面へ移動させて取付けることができ、つまり机上パネルをデスクの奥行き方向に変位させて取付けることができ、それにより一方の天板の実効的奥行き寸法を広くすることができ、もってパソコン等の情報電子機器やその他の奥行きのある物を天板に載置した場合でも、天板を広く使用することができる。
【００１６】
請求項４によれば、取付部材を天板に簡単且つ強固に取付けることができ、また取付部材を取付けた天板の上面には薄い支持板のみが位置するので、狭い方の天板の上面も通常のデスクの天板と同様に使用できるので、有効に活用することができる。
【００１７】
請求項５によれば、前記取付部材の支持板に形成した係止片は、前記天板の前縁を抱き込んで上下変位不能に係合する断面略Ｌ字形であり、また支持板に形成した係合部は横長のスリット孔であり、前記押え部材の当止部には前記スリット孔に嵌入する突片を有するので、取付部材と押え部材の構造が簡単で安価に提供することができ、また取付部材が天板上で面内移動することがないのである。
【００１８】
請求項６によれば、前記取付部材の支持部は垂直に立起した支持ポールであり、端部に設ける取付部材には支持ポールを１本設け、中間に位置して隣接する机上パネルを同時に支持する取付部材には支持ポールを２本並設してなるので、複数の机上パネルを次々に側方へ連続して支持することができ、隣接する机上パネル間が正確に連続し、作業も容易である。
【００１９】
請求項７によれば、前記取付部材の支持板に形成した係止片に、天板の前縁部を下方から押圧して挟持するクランプ機能を備えてなるので、天板の前縁部の取付部材の一端部を確実に強固に取付けることができる。
【発明を実施するための最良の形態】
【００２０】
次に、添付図面に示した実施形態に基づき、本発明を更に詳細に説明する。図１及び図２は本発明に係るパネル付きデスクを構成する組立式デスクを示し、図３〜図７はデスク本体部の詳細を示し、図中符号１は端部脚、２は中間脚、３は脚間モジュール、４は天板、５は机上パネル、６はサイドパネル、７は幕板をそれぞれ示している。
【００２１】
本実施形態に係る組立式デスクは、両端部に配する端部脚１，１、中間に配する複数の中間脚２，…、脚間を連結する複数の脚間モジュール３，…及び天板４，…を有し、前記端部脚１と中間脚２、あるいは両側の中間脚２，２に、前後中央部にダクト開口８を設けて天板４，４を前後に載置固定するとともに、前記ダクト開口８内で前記端部脚１及び中間脚２に取付けた支持部材９，…に机上パネル５，…を取付けるとともに、ダクト開口８にはダクトカバー１０，…を装着し、更に前記端部脚１の上部で外側面には前記机上パネル５と同じ高さのサイドパネル６を取付けて構成している。ここで、前後の天板４，４の端部とダクトカバー１０の間には、コードを挿通するための隙間を設けている。また、前記各脚間モジュール３の下部には、パンチングメタル製の幕板７を吊り下げている。
【００２２】
通常、前述の組立式デスクは、前後一対の天板４，４、中間脚２及び脚間モジュール３を単位として次々に連結してデスク列を構成し、それらデスク列を平行に所定間隔を置いて複数設置して使用する。そして、デスク列は中央部の机上パネル５，…で前後に仕切られており、各天板４の前に着座して対面状態でデスクワークを行うのである。
【００２３】
先ず、図３〜図７に基づいてデスク本体部の構造を説明する。前記端部脚１は、図４に示すように、側面視四角形の板状のものであり、上端に内方へ向けた天板４を取付ける取付片１１，…を前後に４つ固定している。また、前記中間脚２は、脚柱１２と支持アーム１３とからなる側面視略Ｔ字形を有し、該支持アーム１３の左右両側にそれぞれ４つの取付片１４，…を固定している。ここで、前記中間脚２の横幅は端部脚１の横幅の２倍に設定している。尚、前記支持アーム１３に取付片１４，…を設ける代わりに、前記支持アーム１３に上下貫通した貫通孔を２つずつ並べて形成しても良い。
【００２４】
前記脚間モジュール３は、前後に間隔を隔ててビーム板１５，１５を配し、両ビーム板１５，１５の両端上部間を連結板１６，１６で連結し、上下貫通したダクト開口８を形成したものであり、両ビーム板１５，１５のそれぞれ端面に連結片１７，１７を形成し、各連結片１７の下部にダルマ孔１８、上部に通孔１９を形成している。
【００２５】
そして、前記端部脚１の内側面の上部に、前記脚間モジュール３の連結面に形成した両ダルマ孔１８，１８に対応させて頭部付き連結ピン２０，２０を突設するとともに、前記通孔１９，１９に対応させて螺孔２１，２１を形成している。同様に、前記中間脚２の脚柱１２の上部両側面に、頭部付き連結ピン２０，２０を突設するとともに、螺孔２１，２１を形成している。
【００２６】
このような各部品を用いて本実施形態に係る組立式デスクを施工するには、先ず図４及び図５に示すように、前記端部脚１を立起状態にして、前記脚間モジュール３の一方の連結面に形成したダルマ孔１８，１８を前記端部脚１の内側面に突設した頭部付き連結ピン２０，２０に係止し、それから図４及び図６に示すように、前記中間脚２を立起状態にして、前記脚間モジュール３の他方の連結面に形成したダルマ孔１８，１８を、中間脚２の脚柱１２の内側面に突設した頭部付き連結ピン２０，２０に係止して仮止めする。それから、前記脚間モジュール３の連結面に形成した通孔１９，１９に、ダクト開口８の内部から連結ネジ２２，２２を挿通して、前記端部脚１及び中間脚２の螺孔２１，２１にそれぞれ螺合する。次に、前記端部脚１と中間脚２の上面に天板４の下面両側縁を載置し、前記端部脚１に設けた取付片１１，１１と中間脚２に設けた取付片１４，１４に、下方からネジ２３，…を挿通して前記天板４の螺孔２４，…に螺合する。尚、前記取付片１４，１４の代わりに、前記支持アーム１３に貫通孔を形成した場合には、該貫通孔に下方から長さの長いネジ２３を挿通し、前記螺孔２４に螺合する。
【００２７】
それから、前記中間脚２の他の側面に、他の脚間モジュール３の一端部を前記同様に連結するとともに、該脚間モジュール３の他端部に前記同様に中間脚２又は端部脚１を連結する。この状態で、中間脚２と他の中間脚２又は端部脚１の上面に新たな天板４を載置する。このように、次々と側方へ脚間モジュール３、中間脚２、天板４を連結していき、最後に反対側の端部脚１を連結するのである。
【００２８】
以上は、デスクのダクト開口８の上方に机上パネル５を設けた前後対称な形態であるが、パソコン等の情報電子機器やその他の奥行き寸法の大きい物を天板に載置して使用したい場合もあり、その場合には天板４の奥行き幅を広く設定する必要がある。そこで、本発明では、図８及び図９に示すように、前記机上パネル５を中央部から前後一方の天板４の上面へ移動させて取付けることができるようにして、一方の天板４の実行的奥行き幅を広くすることができるようにしている。つまり、手前側の天板４を広くしたいときには、机上パネル５を後方の天板４の上まで移動させて付け替えるのである。
【００２９】
本発明の机上パネルの取付装置は、図８〜図１２に示すように、中央部に配線用ダクト開口８を設けて前後に天板４，４を配するとともに、前記ダクト開口８にダクトカバー１０を着脱可能に装着し、ダクト開口８内の左右両側に取付けた支持部材９，９によって机上パネル５の両側端部を支持することが可能なパネル付きデスクにおいて、前記天板４の奥行き寸法に対応する長さを有する長尺の取付部材２５の前後端部を前記天板４の前後縁部に保持して取付可能とし、この一対の取付部材２５を前後一方の前記天板４の左右両側に取付け、該取付部材２５の前後中間位置に設けた支持部２６で机上パネル５の両側端部を支持し、該机上パネル５をデスクの奥行き方向に変位させて取付けることができるようにしたものである。
【００３０】
更に具体的には、本発明の机上パネルの取付装置は、前記天板４の奥行き寸法に対応する長さを有する長尺の支持板２７の一端に天板４の前縁に係止する係止片２８を形成し、他端に係合部２９を形成するとともに、支持板２７の中間位置に机上パネル５の端部を支持する支持部２６を設けてなる取付部材２５と、前記支持部材９を外したダクト開口８内に本体部を着脱可能に取付けるとともに、本体部３１から延びた当止部３２を前記取付部材２５の係合部２９に上方から係合して面内移動不能に保持する押え部材３０とを備え、前後一方の前記天板４の左右両側に取付けた前記取付部材２５，２５の支持部２６，２６で机上パネル５の両側端部を支持するようになっている。
【００３１】
更に詳しくは、図１０及び図１２に示すように、前記取付部材２５の支持板２７に形成した係止片２８は、前記天板４の前縁を抱き込んで上下変位不能に係合する断面略Ｌ字形であり、また支持板２７に形成した係合部２９は横長のスリット孔であり、前記押え部材３０の当止部３２には前記スリット孔２９に嵌入する下向きの突片３３を有する。更に、前記取付部材２５の支持板２７に形成した係止片２８に、天板４の前縁部を下方から押圧して挟持するクランプ機能３４を備えている。前記クランプ機能３４は、前記係止片２８の水平片３５に螺孔を形成し、該水平片３５を下方から抱き込んだコ字形の押圧部材３６に下方からネジ３７を挿通して前記水平片３５の螺孔に螺合し、該ネジ３７を回転させることにより、押圧部材３６が昇降し、該押圧部材３６で天板４の下面を圧接する構造である。
【００３２】
また、前記取付部材２５と押え部材３０には、端部用と中間用とがあり、端部用には符号Ａを付し、中間用には符号Ｂを付して区別した。つまり、端部用の取付部材２５Ａ及び押え部材３０Ａは、中間用の取付部材２５Ｂ及び押え部材３０Ｂの横幅の半分であり、端部用の取付部材２５Ａには、前記支持部２６として１本の支持ポールを垂直に立起し、中間用の取付部材２５Ｂには、２本の支持ポールを左右に並設させて垂直に立起している。また、端部用の押え部材３０Ａの本体部３１は、ダクト開口８に臨む前記端部脚１の上端部又は中間脚２の支持アーム１３の左右半分の部分に嵌合することができるようにアングル形状となっており、端部脚１又は支持アーム１３に嵌合した状態で上方からネジ止めするようになっている。一方、中間用の押え部材３０Ｂは、中間脚２の支持アーム１３の上部に嵌合するように下向き開放した断面コ字形の形状となっており、同じく上方からネジ止めできるようになっている。
【００３３】
前記押え部材３０を取付ける位置は、ダクト開口８内で前記支持部材９を取り去った位置であり、該押え部材３０をダクト開口８内に取付けた後に、本体部３１の上部に前記ダクトカバー１０を装着できるようになっている。つまり、図１２に示すように、前記ダクトカバー１０の横幅は、ダクト開口８の開口幅よりも小さく、前記ダクトカバー１０をダクト開口８に装着した状態で、該ダクトカバー１０の側縁と前記天板４の端縁との間にコード挿通用の隙間が形成され、この隙間を通して前記押え部材３０の当止部３２が天板４の上面に引き出されるのである。また、前記中間用の取付部材２５Ｂの支持板２７は幅が広くなっており、隣接する天板４，４の接合線を隠すように天板４上に載置されるので、天板４，４の繋ぎ目が見えなくなり、外観性を高める効果もある。
【００３４】
このように、前後一方の側の天板４，…に取付部材２５，…を押え部材３０，…とともに取付け、机上パネル５，…を奥行き方向にずらせて支持することができ、一方の天板４の実効的奥行き幅を広くすることができるが、この広くなった天板４の上に重量物を載置する場合には、図８及び図９に示すように、前記中間脚２を補助支脚３８で補強する。つまり、前記補助支脚３８は、上端部に前記中間脚２の支持アーム１３を下方から抱き込んで嵌合する受部３９を設けるとともに、下端には床面Ｆに接地するアジャスター４０を設けた構造であり、前記支持アーム１３の先端部に下方から受部３９を嵌合してネジ止めして取付けるとともに、アジャスター４０を調節して高さを設定する。
【００３５】
また、図１３に示すように、天板４の奥行き幅が狭くなった側は、通常の使用には不便になるので、収容スペースとして活用する場合もある。その場合には、前記天板４の下方空間に収納棚４１又はキャビネット等を設置する。複数のデスク列が通路を挟んで平行に設置されている場合には、この収納棚４１は対面ずるデスク列に着座している人が振り向いて利用することができる。
【図面の簡単な説明】
【００３６】
【図１】本発明を適用する組立式デスクを示す斜視図である。
【図２】同じく組立式デスクの部分正面図である。
【図３】デスク本体部の構造を示す斜視図である。
【図４】同じくデスク本体部の分解斜視図である。
【図５】端部脚と脚間モジュールの連結構造を示す部分分解斜視図である。
【図６】中間脚と脚間モジュールの連結構造を示す部分分解斜視図である。
【図７】組立状態のデスク本体部の簡略断面図である。
【図８】本発明に係る机上パネルの取付装置により机上パネルの奥行き方向位置をずらせて取付けた状態の部分斜視図である。
【図９】同じく簡略断面図である。
【図１０】本発明の要部の分解斜視図である。
【図１１】机上パネルの付け替え途中の状態を示す部分分解斜視図である。
【図１２】机上パネルの付け替え後の状態を示す部分拡大断面図である。
【図１３】天板が狭くなった側の天板下に収納棚を設置する状態を示した説明用斜視図である。
【符号の説明】
【００３７】
１  端部脚、                  ２  中間脚、
３  脚間モジュール、          ４  天板、
５  机上パネル、              ６  サイドパネル、
７  幕板、                    ８  ダクト開口、
９  支持部材、                １０  ダクトカバー、
１１  取付片、                １２  脚柱、
１３  支持アーム、            １４  取付片、
１５  ビーム板、              １６  連結板、
１７  連結片、                １８  ダルマ孔、
１９  通孔、                  ２０  連結ピン、
２１  螺孔、                  ２２  連結ネジ、
２３  ネジ、                  ２４  螺孔、
２５，２５Ａ，２５Ｂ  取付部材、
２６  支持部（支持ポール）、  ２７  支持板、
２８  係止片、                ２９  係合部（スリット孔）、
３０，３０Ａ，３０Ｂ  押え部材部材、
３１  本体部、                ３２  当止部、
３３  突片、                  ３４  クランプ機能、
３５  水平片、                ３６  押圧部材、
３７  ネジ、                  ３８  補助支脚、
３９  受部、                  ４０  アジャスター、
４１  収納棚。
【図１】
0005304014.tif 000002
【図２】
0005304014.tif 000003
【図３】
0005304014.tif 000004
【図４】
0005304014.tif 000005
【図５】
0005304014.tif 000006
【図６】
0005304014.tif 000007
【図７】
0005304014.tif 000008
【図８】
0005304014.tif 000009
【図９】
0005304014.tif 000010
【図１０】
0005304014.tif 000011
【図１１】
0005304014.tif 000012
【図１２】
0005304014.tif 000013
【図１３】
0005304014.tif 000014